(57)【要約】
【課題】ゴルフプレーヤーが携行する湿った布片の乾燥を防ぐ小物入れの提供。
【解決手段】小物入れ１が筒状の周壁部２と、周壁部２の両端に形成された端壁部１１，１２とを有する。端壁部１１に形成された透孔６に、ひも７がその長さ方向へ摺動可能かつ抜脱不能な態様で挿通される。ひも７の内端部１３には、布片２１が取り付けられる。
【選択図】図１
0003101050.tif 000002
【実用新案登録請求の範囲】
【請求項１】
筒状に延びる周壁部と、前記周壁部の両端部それぞれを塞ぐように形成された端壁部部とを有し、前記周壁部がファスナによって開閉可能に形成されている小物入れにおいて、
前記端壁部の少なくとも一方に前記小物入れの内外に通じる透孔が形成され、前記透孔には前記小物入れの内外方向へ摺動可能かつ抜脱不能な態様でひもが挿通されていることを特徴とする前記小物入れ。
【請求項２】
前記小物入れの内部に位置する前記ひもの内端部には、前記小物入れに収納可能な大きさの布片が取り付けられている請求項１記載の小物入れ。
【請求項３】
前記布片が前記内端部に設けられたフック部材に着脱自在な態様で取り付けられている請求項２記載の小物入れ。
【請求項４】
前記周壁部の外面にベルト通しが形成されている請求項１〜３のいずれかに記載の小物入れ。
【考案の詳細な説明】
【技術分野】
【０００１】
この考案は、開閉可能な小物入れに関し、より詳しくはゴルフプレーヤーがプレー中にゴルフボールや湿らせた布片等を入れて携帯するのに好適な小物入れに関する。
【背景技術】
【０００２】
従来、ゴルフプレーヤーがプレー中にタオル等の布片を湿らせた状態で携行し、この布片でボールの汚れをふき取ることはよく知られている。
【考案の開示】
【考案が解決しようとする課題】
【０００３】
前記湿らせた布片は、ゴルフカートやゴルフバッグ等に結び付けて携行されることが多く、それゆえに季節によっては強い日差しを受けて乾燥し易いということがある。乾いた布片は、湿らせた布片に比べて汚れを拭きとりにくいこともよく知られている。
【０００４】
かような状況において、この考案が課題とするところは、ゴルフプレーヤーが携行する湿らせた布片の乾燥を防ぐことができる手段の提供である。
【課題を解決するための手段および考案の効果】
【０００５】
前記課題解決のために、この考案が対象とするのは、筒状に延びる周壁部と、前記周壁部の両端部それぞれを塞ぐように形成された端壁部とを有し、前記周壁部がファスナによって開閉可能に形成されている小物入れである。
【０００６】
かかる小物入れにおいて、この考案が特徴とするところは、前記端壁部の少なくとも一方に前記小物入れの内外に通じる透孔が形成され、前記透孔には前記小物入れの内外方向へ摺動可能かつ抜脱不能な態様でひもが挿通されていること、にある。
【０００７】
かような小物入れでは、その内部に位置するひもの内端部に湿らせた布片を取り付けることができ、その布片を小物入れに収納することによって、布片の乾燥を防ぐことができる。布片を取り付けたひもは小物入れから抜けることがないから、そのひもの外端部をゴルフカートやゴルフバッグ等に固定しておけば、布片を紛失する恐れがない。
【０００８】
この考案の実施態様の一つにおいて、前記ひもの内端部には、前記小物入れに収納可能な大きさの布片が取り付けられている。かかる態様の小物入れは、ひもの内端部に布片が既に取り付けられているから、ゴルフプレーヤーにとって、布片を用意するという手間が不要になる。
【０００９】
この考案の実施態様の他の一つにおいて、前記布片が前記内端部に設けられたフック部材に着脱自在な態様で取り付けられている。かかる態様の小物入れでは、汚れた布片を汚れていないものに取り替えることが容易である。
【００１０】
この考案の実施態様のさらに他の一つにおいては、前記周壁部の外面にベルト通しが形成されている。かかる態様の小物入れは、ゴルフプレーヤーがゴルフカートやゴルフバッグから遠く離れていても、自分のベルトに取り付けた小物入れから湿らせた布片を取り出して使用することができる。
【考案を実施するための最良の形態】
【００１１】
添付の図面を参照して、この考案に係る小物入れの詳細を説明すると、以下のとおりである。
【００１２】
図１は、小物入れ１の部分破断斜視図である。小物入れ１は、円筒状の周壁部２と、周壁部２の両端それぞれを塞ぐように形成されている第１、第２端壁部１１，１２（図２を併せて参照）とを有する。周壁部２には、その長さ方向へ延びるジッパーファスナ４が取り付けられており、図では、そのファスナ４が開いて小物入れ１に開口５が形成されている。第１端壁部１１は、その中央部に小物入れ１の内外に通じる透孔６を有し、その透孔６には、二つ折りにされたひも７がその長さ方向へ摺動可能な状態で挿通されている。ひも７は、小物入れ１の内側に位置していて開口５から小物入れ１の外へ引き出すことができる内端部１３と、小物入れ１の外側に位置する外端部１４とを有する。内端部１３と外端部１４とには、第１フック部材１６と第２フック部材１７とが取り付けられている。第１フック部材１６には、布片２１が着脱自在な態様で取り付けられている。
【００１３】
かように形成されている小物入れ１は、その大きさが仮想線で示すゴルフボール２２を例えば１〜２個入れることができるように作られる。図の布片２１は、これが矢印Ａ方向へ引っ張られると、ひも７が開口５から小物入れ１の外へ延びるので、小物入れ１に邪魔されることなく、ゴルフボールの汚れを拭き取るため使用することができる。ひも７は、その外端部１４が矢印Ｂ方向へ引っ張られると、仮想線で示されているように透孔６からさらに遠のくように延びる一方、内端部１３が布片２１とともに小物入れ１の内側に収納される。布片２１は、小物入れ１に収納可能な大きさを有するもので、ひも７が矢印Ｂ方向へ引っ張られるときに、適宜の形状に畳まれるか、または丸められる。布片２１が小物入れ１に収納された後に、ファスナ４によって開口５が閉じられる。布片２１は湿らせておくことができ、それが小物入れ１に収納されると、容易に乾燥することがない。ひも７は、それが矢印Ｂ方向へ引っ張られたときには、内端部１３の結び目または第１フック部材１６が第１端壁部１１の透孔６の周縁に当接して透孔６から抜けることがなく、また矢印Ａ方向へ引っ張られたときには、外端部１４の第２フック部材１７が透孔６の周縁に当接して透孔６から抜けることがない。
【００１４】
図２は、この考案の実施態様の一例を示す図１と同様な図である。ただし、図２の小物入れ１では、布片２１が収納され、ファスナ４が閉じた状態にある。この小物入れ１では、周壁部２の外面に周方向へ延びる帯片２６が取り付けられている。帯片２６の先端部内面には商品名マジックテープ等で知られるメカニカルファスナのフック部材２７が取り付けられており、周壁部２の外面における所要部位にはフック部材２７が着脱可能なループ部材２８が取り付けられている。フック部材２７をループ部材２８に止着させると、周壁部２と帯片２６との間にベルト通し２９が形成される。仮想線で示されるゴルフプレーヤーのベルト３１をここに通しておけば、ゴルフプレーヤーは、湿らせた布片２１を常に身近に置いておくことができる。しかも、その布片２１は、ひも７を介して小物入れ１につながれた状態にあるから、ゴルフプレーヤーがプレーに熱中していても、紛失する恐れがない。小物入れ１は、フック部材２７をループ部材２８から離脱させれば、ベルト３１から簡単に外すことができる。
【００１５】
この考案において、第１フック部材１６を介してひも７に取り付けられた布片２１は、第１フック部材１６を使用することなく、ひも７と布片２１とを縫合したり、結び合わせたりしてひも７に取り付けられていてもよい。また、ひも７は、第２フック部材１７が取り付けられていないものであってもよい。
【産業上の利用可能性】
【００１６】
この考案によれば、ゴルフプレーヤーが携行する湿った布片の乾燥を防止できる小物入れの生産が可能になる。
【図面の簡単な説明】
【００１７】
【図１】小物入れの部分破断斜視図。
【図２】実施態様の一例を示す図１と同様な図。
【符号の説明】
【００１８】
１    小物入れ
２    周壁部
４    ファスナ
６    透孔
７    ひも
１１    端壁部
１２    端壁部
１６    フック部材
１７    フック部材
２１    布片
２９    ベルト通し
【図１】
0003101050.tif 000003
【図２】
0003101050.tif 000004